(57)【要約】【課題】受信した各ファクシミリデータに応じて、他のファクシミリデータに転送するかしないかを振り分け可能として、ユーザーがファクシミリデータの印刷物を得る際の利便性を向上させる。【解決手段】複合機１は、ファクシミリ通信部１４０と、画像メモリー１２０と、画像形成部１３０と、画像形成部１３０による画像形成が可能か否かを判断する判断部１０４と、転送フラグがファクシミリデータと共に受信されているかを判定する転送フラグ判定部１０５と、判断部１０４によって画像形成が不可能と判断された場合であって、転送フラグ判定部１０５によって転送フラグが受信されていると判定された場合には、予め定められた転送先としての他の装置にファクシミリデータを転送するデータ転送制御部１０６とを備える。【選択図】図２
2015109504.tif 000002
【特許請求の範囲】
【請求項１】
他のファクシミリ装置からファクシミリデータを受信するファクシミリデータ受信部と、
前記ファクシミリデータ受信部により受信されたファクシミリデータを記憶する記憶部と、
前記記憶されたファクシミリデータに基づいた画像形成を行う画像形成部と、
前記画像形成部による画像形成が可能か否かを判断する判断部と、
前記ファクシミリデータを他の装置に転送すべきことを示す転送フラグを、前記ファクシミリデータ受信部が、前記ファクシミリデータと共に受信しているか否かを判定する転送フラグ判定部と、
前記判断部によって前記画像形成が不可能と判断された場合であって、前記転送フラグ判定部によって前記転送フラグが受信されていると判定された場合には、予め定められた転送先としての他の装置に前記ファクシミリデータを転送するデータ転送部と、を備えるファクシミリ装置。
【請求項２】
前記転送フラグ判定部は、前記ファクシミリデータ受信部が前記ファクシミリデータと共に受信したファクシミリ制御信号に、予め定められた識別情報が含まれる場合に、前記転送フラグが受信されたと判定する請求項１に記載のファクシミリ装置。
【請求項３】
前記転送フラグ判定部は、前記ファクシミリデータ受信部が受信した前記ファクシミリデータに、予め定められた文字を示すキャラクター又は画像が含まれるか否かを判定し、当該キャラクター又は画像が含まれると判定した場合には、前記転送フラグが受信されたと判定する請求項１に記載のファクシミリ装置。
【請求項４】
ユーザーにより設定されたファクシミリ送信の相手先を記憶する通信相手先記憶部と、
前記受信されたファクシミリデータの送信元を判別する送信元判別部とを更に備え、
前記データ転送部は、前記送信元判別部により判別された前記送信元が前記通信相手先記憶部に記憶されている場合に、前記ファクシミリデータの転送を行う請求項１乃至請求項３のいずれかに記載のファクシミリ装置。
【請求項５】
前記通信相手先記憶部は、前記相手先毎に転送先を関連付けて記憶し、
前記データ転送部は、前記送信元判別部により判別された前記送信元が前記通信相手先記憶部に記憶されている場合には、前記相手先として記憶されている当該送信元に関連付けられた転送先に、前記ファクシミリデータの転送を行う請求項４に記載のファクシミリ装置。
【請求項６】
前記送信元が前記通信相手先記憶部に記憶されていない送信元不明時における前記ファクシミリデータの転送先をユーザーから受け付ける転送先受付部を更に備え、
前記データ転送部は、前記転送先受付部に前記送信元不明時における転送先が受け付けられている場合には、前記送信元が前記通信相手先記憶部に記憶されていない場合であっても、当該送信元不明時における転送先に、前記ファクシミリデータの転送を行う請求項４又は請求項５に記載のファクシミリ装置。
【請求項７】
前記ファクシミリ制御信号に前記転送フラグを付加する付加指示をユーザーから受け付けるフラグ受付部と、
前記フラグ受付部に前記付加指示が受け付けられたとき、ファクシミリ通信時に用いる予め定められたファクシミリ制御信号に、前記転送フラグを付加するフラグ付加部と、
ファクシミリデータ及び前記ファクシミリ制御信号の送信を行うファクシミリ通信部と、を更に備えた請求項１乃至請求項６のいずれかに記載のファクシミリ装置。
【発明の詳細な説明】
【技術分野】
【０００１】
本発明は、ファクシミリ装置に関し、特に、ファクシミリデータを他の機器に転送する技術に関する。
【背景技術】
【０００２】
ファクシミリデータを他のファクシミリ装置から受信したときに、受信側のファクシミリ装置が即座に当該ファクシミリデータを印刷できない事態に備えて、他のファクシミリ装置や画像形成装置にファクシミリデータを転送して、当該他のファクシミリ装置や画像形成装置における画像形成を可能にする技術が提案されている（下記特許文献１，２参照）。
【先行技術文献】
【特許文献】
【０００３】
【特許文献１】特開２００６−３３３２３７号公報
【特許文献２】特開２００６−２６７５９８号公報
【発明の概要】
【発明が解決しようとする課題】
【０００４】
上記技術によれば、ファクシミリデータを受信したファクシミリ装置では印刷が不可能であっても、当該ファクシミリデータは他の装置に転送されて、この他の装置での印刷物となり、他の装置においてユーザーが入手可能となる。ここで、例えば緊急性を有しないファクシミリデータは、他のファクシミリ装置に転送せず、当該ファクシミリデータを受信したファクシミリ装置が印刷可能になるまで待機して、当該ファクシミリ装置で印刷物を得る方が便利である。しかしながら、上記技術では、さほど重要ではなく即時に印刷を要しないファクシミリデータであっても、これを受信したファクシミリ装置は、他のファクシミリ装置に転送してしまう。このような場合、ユーザーは、印刷に緊急性を要しないファクシミリデータの印刷物であっても、転送先のファクシミリ装置まで印刷物を取りに行くことになり、却って不便である。
【０００５】
本発明は、上記の問題を解決するためになされたもので、受信した各ファクシミリデータに応じて、他のファクシミリデータに転送するかしないかを振り分け可能として、ユーザーがファクシミリデータの印刷物を得る際の利便性を向上させることを目的とする。
【課題を解決するための手段】
【０００６】
本発明の一局面に係るファクシミリ装置は、他のファクシミリ装置からファクシミリデータを受信するファクシミリデータ受信部と、
前記ファクシミリデータ受信部により受信されたファクシミリデータを記憶する記憶部と、
前記記憶されたファクシミリデータに基づいた画像形成を行う画像形成部と、
前記画像形成部による画像形成が可能か否かを判断する判断部と、
前記ファクシミリデータを他の装置に転送すべきことを示す転送フラグを、前記ファクシミリデータ受信部が、前記ファクシミリデータと共に受信しているか否かを判定する転送フラグ判定部と、
前記判断部によって前記画像形成が不可能と判断された場合であって、前記転送フラグ判定部によって前記転送フラグが受信されていると判定された場合には、予め定められた転送先としての他の装置に前記ファクシミリデータを転送するデータ転送部と、を備えるものである。
【０００７】
本発明では、データ転送部は、画像形成が不可能と判断部により判断され、かつ、ファクシミリデータについての転送フラグが受信されていると転送フラグ判定部により判定されたことを条件として、予め定められた転送先にファクシミリデータを転送するので、受信したファクシミリデータ毎に、当該ファクシミリデータを他のファクシミリ装置に転送するかしないかを振り分け可能となり、ユーザーがファクシミリデータの印刷物を得る際の利便性を向上させることができる。
【発明の効果】
【０００８】
本発明に係るファクシミリ装置によれば、受信したファクシミリデータ毎に、当該ファクシミリデータを他のファクシミリデータに転送するかしないかを振り分け可能にできるため、例えば、ファクシミリデータの重要性や緊急性の有無に応じて、当該ファクシミリデータを転送するか否かをユーザーが使い分け可能となる。このため、ユーザーがファクシミリデータの印刷物を得る際の利便性を向上させることができる。
【図面の簡単な説明】
【０００９】
【図１】本発明の一実施形態に係るファクシミリ装置としての画像形成装置の外観を示す斜視図である。
【図２】本発明の第１実施形態に係るファクシミリ装置としての複合機の内部構成の概略を示すブロック図である。
【図３】通信相手先記憶部の記憶内容の一例を示す。
【図４】転送先設定時の表示画面の一例を示す。
【図５】操作部を示す図である。
【図６】複合機を受信側ファクシミリ装置として、送信側のファクシミリ装置からファクシミリデータを受信する場合におけるネットワーク構成の一例を示す図である。
【図７】ファクシミリ通信時における送信側及び受信側間でのファクシミリ制御信号の送受信を示すタイミングチャートである。
【図８】複合機によるファクス転送処理の第１実施形態を示すフローチャートである。
【図９】複合機によるファクス転送処理の第２実施形態を示すフローチャートである。
【図１０】送信元のファクシミリ装置における転送フラグ付加処理を示すフローチャートである。
【図１１】表示部の表示画面の一例を示す図である。
【図１２】転送フラグ有無判定処理の他の実施形態を示すフローチャートである。
【図１３】「至急」画像を有するファクシミリデータの１頁が印刷された例を示す。
【発明を実施するための形態】
【００１０】
以下、本発明の一実施形態に係るファクシミリ装置について図面を参照して説明する。図１は本発明の一実施形態に係るファクシミリ装置としての画像形成装置の外観を示す斜視図である。本発明の一実施形態に係るファクシミリ装置としての画像形成装置は、例えば、複合機１である。図１に示すように、複合機１は、筐体からなる装置本体１０を備える。
【００１１】
装置本体１０は、下ハウジング３と、その上部に設けられた上ハウジング４と、これら両ハウジングを連結する連結ハウジング８とを備える。下ハウジング３と上ハウジング４との中間部には、側方から略水平方向に内側に入り込んだ用紙スタック部５が形成されている。また、上ハウジング４の前面には、操作部４７が設けられている。用紙スタック部５には、下ハウジング３から排出される用紙が積載されるシートトレイ６が設けられている。
【００１２】
上ハウジング４は、内部にフラットベッドを有して当該フラットベッド上の原稿をスキャナー部等により読み取る画像読取部１８０を有している。下ハウジング３は、用紙上にトナー画像を形成する感光体ドラム、露光部及び現像部と、用紙上のトナー画像を定着するための定着部といった画像形成部１３０（図２）を内蔵している。下ハウジング３には、更に、記録紙を貯留する給紙カセット７が設けられている。なお、この実施形態では、給紙カセット７が２つ備えられた例を示しているが、給紙カセットの数は特に限定されない。連結ハウジング８内には、画像形成行程における定着後の記録紙を搬送してシートトレイ６に排出するための用紙搬送路を内蔵している。
【００１３】
複合機１では、画像読取部１８０により読み取られた原稿画像を、下ハウジング３に内蔵された上記画像形成機構により、給紙カセット７のいずれかから給紙される記録紙上に画像形成し、当該画像形成後の記録紙は、連結ハウジング８内の用紙搬送路からシートトレイ６に排出される。
【００１４】
次に、本発明の第１実施形態に係るファクシミリ装置としての複合機１が有する構成を説明する。図２は、本発明の第１実施形態に係るファクシミリ装置としての複合機１の内部構成の概略を示すブロック図である。
【００１５】
第１実施形態に係る複合機１は、制御ユニット１００と、画像読取部１８０と、画像メモリー１２０と、画像形成部１３０と、ファクシミリ通信部１４０とを有する。
【００１６】
画像読取部１８０は、原稿を読み取って原稿画像を取得するスキャナー等を備える。画像読取部１８０は、例えば、原稿載置台、当該原稿載置台から搬送される原稿の画像を読み取るスキャナー、及び読取済の原稿を排出する排出機構を有するＡＤＦ（Auto Document Feeder）である。画像読取部１８０は、ファクス送信の対象とされる原稿を１枚ずつ読み取り、ファクス送信の対象とするデータを生成する。
【００１７】
画像メモリー（記憶部）１２０は、画像読取部１８０によって読み取られた原稿のデータ、ファクシミリ通信部１４０又は通信インターフェイス１６０により取得されたファクシミリ送信の対象となるデータ等、画像形成部１３０の画像形成（印刷）の対象となるデータを一時的に保存する領域である。
【００１８】
画像形成部１３０は、画像読取部１８０によって読み取られた原稿のデータや、ファクシミリ通信部１４０又は通信インターフェイス１６０により取得されたデータ等であって、画像メモリー１２０に記憶されているデータを読み出し、当該データを用いて画像形成（印刷）を行う。
【００１９】
ファクシミリ通信部（ファクシミリデータ受信部）１４０は、ファクシミリ通信に必要な諸機能を実行し、公衆回線を通じて、外部のファクシミリ装置との間で画像データを送受信する。
【００２０】
制御ユニット１００は、ＣＰＵ、ＲＯＭ及びＲＡＭ等からなり、複合機１の全体的な動作を司る。制御ユニット１００は、制御部１０１と、ジョブ管理部１０２と、判断部１０４と、転送フラグ判定部１０５と、データ転送制御部１０６と、送信元判別部１０７と、転送先受付部１０８と、フラグ受付部１０９と、フラグ付加部１１０とを備えている。
【００２１】
なお、ＨＤＤ１７０又は図略のＲＯＭに、複合機１のデータ転送プログラムが記憶されており、制御ユニット１００は、当該データ転送プログラムに従って動作することにより、制御部１０１と、ジョブ管理部１０２と、判断部１０４と、転送フラグ判定部１０５と、データ転送制御部１０６と、送信元判別部１０７と、転送先受付部１０８と、フラグ受付部１０９と、フラグ付加部１１０とを備える。
【００２２】
なお、制御部１０１、ジョブ管理部１０２、判断部１０４、転送フラグ判定部１０５、データ転送制御部１０６、送信元判別部１０７、転送先受付部１０８、フラグ受付部１０９、及びフラグ付加部１１０とは、当該データ転送プログラムに基づく動作によらず、それぞれハード回路により構成されるものとしてもよい。以下、特に触れない限り、各実施形態について同様である。
【００２３】
また、上記ジョブ管理部１０２〜フラグ付加部１１０の各部は、後述する各実施形態において必要となる限りにおいて、本発明の実施形態としての複合機１の構成要素となる。
【００２４】
制御部１０１は、複合機１の全体的な動作を司る。
【００２５】
例えば、制御部１０１は、ファクス送信用に画像読取部１８０により読み取られて画像メモリー１２０に一時的に記憶されている各頁の原稿のデータを頁順に読み出して、ファクシミリ通信部１４０に、ユーザーによる操作部４７の操作で指定された相手先のファクシミリ装置に向けてファクス送信させる。
【００２６】
また、制御部１０１は、ファクシミリ通信部１４０により受信されて画像メモリー１２０に一時的に記憶されているファクシミリデータを頁順に読み出して、画像形成部１３０に画像形成（印刷）させる。
【００２７】
ジョブ管理部１０２は、複合機１で受け付けた各ジョブ、例えば、プリントジョブ、スキャンジョブ、ファクスジョブ、コピージョブ等についての実行順、実行時期、待機、削除、追加等を調整する。例えば、ジョブ管理部１０２は、ファクシミリ通信部１４０により受信されて画像メモリー１２０に記憶された各ファクシミリデータについてのファクスジョブの管理を行う。この場合、ジョブ管理部１０２は、当該受信された各ファクシミリデータの画像形成部１３０に行わせる時期の調整や、各ファクシミリデータについてのジョブ削除等を行う。
【００２８】
判断部１０４は、上記ファクシミリデータに基づく画像形成部１３０による画像形成が可能か否かを判断する。なお、制御部１０１が、判断部１０４として機能するようにしてもよい。
【００２９】
転送フラグ判定部１０５は、ファクシミリ通信部１４０がファクシミリデータと共に転送フラグを受信しているか否かを判定する。転送フラグは、ファクシミリデータと共に受信される予め定められたファクシミリ制御信号に含まれる。転送フラグは、ファクシミリ通信部１４０により受信したファクシミリデータを他の装置に転送すべきことを示す転送指示である。例えば、重要性や緊急性を示す情報が、当該転送指示として用いられる。
【００３０】
データ転送制御部１０６は、転送指示の対象となるファクシミリデータを、ファクシミリ通信部１４０又は通信インターフェイス１６０から、上記他の装置に転送させる。
【００３１】
データ転送制御部１０６は、判断部１０４によって上記画像形成が不可能と判断された場合であって、転送フラグ判定部１０５によって上記転送フラグが受信されていると判定された場合に、予め定められた転送先としての他の装置に、当該転送フラグと共に受信されたファクシミリデータを転送する。データ転送制御部１０６、ファクシミリ通信部１４０、及び通信インターフェイス１６０は、特許請求の範囲におけるデータ転送部の一例である。
【００３２】
なお、当該他の装置とは、ＬＡＮ（Local Area Network）又はインターネットにより複合機１にネットワーク接続されているファクシミリ装置、プリンター、複合機等、外部から受信したデータの画像形成が可能な画像形成装置である。また、当該他の装置は、情報表示装置等、外部から受信したデータの表示が可能な装置であってもよいし、ＵＳＢメモリーやＨＤＤ等のような外部記憶装置であってもよい。
【００３３】
送信元判別部１０７は、ファクシミリ通信部１４０に受信されたファクシミリデータの送信元を判別する。送信元判別部１０７は、例えば、ファクシミリ通信時に受信するファクシミリ制御信号としてのＴＳＩ信号に基づいて、当該送信元のファクス番号を行う。
【００３４】
また、複合機１は、通信相手先記憶部１７０を備える。通信相手先記憶部１７０は、例えばメモリーを備え、ユーザーにより設定されたファクシミリ送信の相手先名称及びそのファクシミリ番号を記憶する。すなわち、通信相手先記憶部１７０には、ファクシミリデータの送信に用いる各ファクス番号を相手先別に記憶する、いわゆるアドレス帳が記憶されている。
【００３５】
なお、通信相手先記憶部１７０は、上記相手先名称に関連付けてそのファクシミリ番号と共に、受信したファクシミリデータの転送先としての他装置のファクス番号と、当該転送を実行したときに通知を送信する連絡先を、当該相手先毎に記憶するようにしてもよい。
【００３６】
転送先受付部１０８は、上記転送先を示すファクス番号と、当該転送実行時に当該転送を行ったことを連絡する連絡先の設定をユーザーから受け付ける。また、転送先受付部１０８は、送信元判別部１０７により判別された送信元が通信相手先記憶部１７０に記憶されておらず送信元不明となっている場合におけるファクシミリデータの転送先（送信元不明時転送先）の設定をユーザーから受け付ける。また、転送先受付部１０８は、当該送信元不明時転送先へのファクシミリデータの転送を実行したときに通知を送信する送信元不明時連絡先をユーザーから受け付ける。これら受け付けられた各情報は、通信相手先記憶部１７０が記憶する。
【００３７】
図３に通信相手先記憶部１７０の記憶内容の一例を示す。この例では、通信相手先記憶部１７０は、ファクシミリ送信の相手先（宛先名）、そのファクシミリ番号（相手先番号）、ファクシミリデータの転送先（緊急時連絡先）、転送実行時の連絡先、転送後に行う処理の内容（後処理：削除又は保存等）の組を、組毎に管理番号を付して記憶している。なお、図３に示す例では、当該転送は、緊急時におけるファクシミリ受信を実現するものとして行われる。なお、この図３に示した例は、複合機１によるファクシミリデータ転送処理の第２実施形態（後述）に用いられる。
【００３８】
また、通信相手先記憶部１７０は、送信元不明時の転送先、及び送信元不明時の連絡先を上記図３に示した各組とは別個に記憶している。
【００３９】
図４に転送先設定時の表示画面の一例を示す。図５は操作部４７を示す図である。ユーザーが操作部４７に備えられる転送設定ボタンＢ１を押下すると、制御部１０１は、図４に示す転送先設定画面Ｄ１を表示部１５０に表示させる。転送先受付部１０８は、ユーザーからの転送先等の設定指示の入力を待機する。転送先設定画面Ｄ１は、ユーザーから設定を受け付ける各項目を表示する。すなわち、転送先設定画面Ｄ１は、ファクシミリデータの転送先（緊急時連絡先）、転送後の処理、転送時の連絡先、送信元不明時の転送先、及び送信元不明時の連絡先を表示する。操作部４７は、タッチパネル機能によりこれら各項目の変更等を受け付け、転送先受付部１０８が当該変更等の指示を受け付ける。
【００４０】
転送先設定画面Ｄ１は、受信されたファクシミリデータを転送する場合に用いられる転送先、転送後の処理、転送完了時に通知を行う連絡先の内容を示している。本実施形態では、転送先設定画面Ｄ１により、複合機１が、受信されたファクシミリデータの画像形成が画像形成部１３０によっては不可能な場合に、当該ファクシミリデータの送信元毎に設定されている転送先への転送、転送後の処理、及び転送時連絡先への通知を行うことと、また、送信元不明時には、送信元不明時転送先への転送と送信元不明時連絡先への通知とを行うことが示されている。
【００４１】
フラグ受付部１０９は、ファクシミリ通信部１４０によるファクシミリデータ送信時に、当該送信に用いるファクシミリ制御信号のうち、予め定められたファクシミリ制御信号（例えばＮＳＳ信号）に上記転送フラグを付加する付加指示を、操作部４７を介してユーザーから受け付ける。
【００４２】
フラグ付加部１１０は、フラグ受付部１０９に上記付加指示が受け付けられたときに、上記予め定められたファクシミリ制御信号に、上記転送フラグを付加する。例えば、フラグ付加部１１０は、ＮＳＳ信号に、ファクシミリデータが緊急性又は重要性を要することを示す情報を転送フラグ（転送指示）として付加する。
【００４３】
また、複合機１は、操作部４７及び表示部１５０を備える。操作部４７は、画像形成又は送信スタートキー、テンキー及び短縮番号キー等からなり、ユーザーから各種操作指示、本実施形態でいえば、例えば、上記ファクシミリデータの転送設定の入力等を受け付ける。
【００４４】
表示部１５０は、ユーザーへの操作案内等を表示するＬＣＤ（Liquid Crystal Display）等からなる。なお、この表示部１５０がタッチパネル機能を備えることにより、操作部４７としてユーザーからの各種操作指示を受け付けるようにしてもよい。
【００４５】
さらに、複合機１は、画像読取部１８０が読み取った画像の編集及び加工処理等を行う画像処理部１９０と、ネットワーク接続された他のパーソナルコンピューターやサーバーとの間で各種データの通信を行うための通信インターフェイス１６０とを有している。
【００４６】
次に、上記複合機１を受信側のファクシミリ装置として、送信側のファクシミリ装置２からファクシミリデータを受信する場合におけるネットワーク構成を説明する。図６は、上記複合機１を受信側ファクシミリ装置として、送信側のファクシミリ装置２からファクシミリデータを受信する場合におけるネットワーク構成の一例を示す図である。
【００４７】
ファクシミリデータ受信側のファクシミリ装置としての複合機１は、ＰＳＴＮ（Public Switched Telephone Networks：公衆回線網）を介して、ファクシミリデータ送信側のファクシミリ装置２と接続されている。当該ファクシミリ装置２は、例えば、複合機１と同様の構成からなる複合機である。
【００４８】
受信側の複合機１は、ＬＡＮ（Local Area Network）等により、上記転送先となるファクシミリ装置としての複合機１１，１２に接続されている。また、複合機１は、ＬＡＮ及びＰＢＸ(Private Branch eXchange：機内交換機)を介して、上記転送先となるファクシミリ装置１３，１４と接続されている。
【００４９】
この例では、受信側の複合機１は、送信側のファクシミリ装置２からファクシミリデータを受信すると、このファクシミリデータと共に受信した例えばＮＳＳ信号が上記転送フラグとしての緊急情報を含む場合は、ユーザーにより予め定められている転送先としての上記複合機１１，１２、ファクシミリ装置１３，１４のいずれかに、当該ファクシミリデータを転送する。
【００５０】
次に、ファクシミリ通信の一例を説明する。図７は、ファクシミリ通信時における送信側及び受信側間でのファクシミリ制御信号の送受信を示すタイミングチャートである。図７には、勧告Ｔ．３０に基づくファクシミリ通信を例にして示す。
【００５１】
送信側（発呼側）のファクシミリ装置２からファクシミリ通信が開始される際、ファクシミリ装置２は、受信側（被呼側）となる複合機１に対してダイヤリングを行い、呼び出し信号であるＣＮＧ信号を送信する（♯１）。ＣＮＧ信号を受信した複合機１は、回線が接続されたことを示すＣＥＤ信号を送信側のファクシミリ装置２に返信する（♯２）。
【００５２】
続いて、複合機１は、オプション機能を表す非標準機能識別信号としてのＮＳＦ信号と（図４には２つのＮＳＦ信号を送信する例を示している）、を送信側のファクシミリ装置に返信する（♯３，♯４）。続いて、複合機１のファクス番号等を示す被呼局識別信号としてのＣＳＩ信号を、送信側のファクシミリ装置に返信する（♯５）。さらに、複合機１は、複合機１の機能を示すディジタル識別信号であるＤＩＳ信号を、送信側のファクシミリ装置２に向けて送信する（♯６）。
【００５３】
上記各ファクシミリ制御信号を受信した送信側のファクシミリ装置２は、上記ＣＳＩ信号を検出すると、このＣＳＩ信号の示すファクス番号が上記ダイヤルリングした複合機１のファクス番号と―致しているか否かを確認する。そして、ファクシミリ装置２は、ファクス番号が―致している場合、ファクシミリ装置２が装備する標準機能を表す標準機能設定信号としてのＮＳＳ信号を送信する（♯７）。本実施形態では、ファクシミリ装置２は、当該ＮＳＳ信号に、このファクシミリ装置２から送信するファクシミリデータの転送を指示する上記転送フラグを含ませる。ファクシミリ装置２によるＮＳＳ信号への転送フラグの設定は、ユーザーからの指示に従って行われる。
【００５４】
続いて、ファクシミリ装置２は、受信した上記ＤＩＳ信号の示す複合機１が有する機能に基づいて、ファクシミリ装置２が実際に利用するファクシミリ機能を示すＤＣＳ信号と、ファクシミリ装置２の識別情報（ファクス番号）を複合機１に知らせるＴＳＩ信号とを複合機１に送信する（♯８，♯９）。さらに、ファクシミリ装置２は、能力交換で決定したモデム速度で通信が出来るかどうかを確認するためのトレーニング信号であるＴＣＦ信号を複合機１に対して送信する（♯１０）。
【００５５】
上記ＤＣＳ信号及びＴＣＦ信号を受信した複合機１は、受信成功を示すＣＦＲ信号をファクシミリ装置２に返信する（♯１１）。
【００５６】
送信側としてのファクシミリ装置２が当該ＣＦＲ信号を受信すると、当該ファクス送信ジョブでファクス送信対象とする第１頁目のデータ（ＰＩＸ）を、相手先ファクシミリ装置に対して送信する（♯１２）。さらに、ファクシミリ装置２は、ファクス送信の対象とする他頁のデータが存在する場合は、他頁のデータが存在することを示すＭＰＳ信号を相手先ファクシミリ装置に送信する（♯１３）。
【００５７】
受信側としての複合機１では、受信した第１頁目のデータ（ＰＩＸ）を画像メモリーに一時的に記憶させる。そして、複合機１は、第１頁目のデータを正しく受信したことを示すＭＣＦ信号を複合機１に対して返信する（♯１４）。
【００５８】
ファクシミリ装置２は、相手先ファクシミリ装置からＭＣＦ信号を受信すると、ファクス送信の対象とする次頁のデータがある限り次頁のデータ（ＰＩＸ）及びＭＰＳ信号を相手先ファクシミリ装置に送信する。この場合、受信側の複合機１では、受信した頁のデータ（ＰＩＸ）を画像メモリーに一時的に記憶させてＭＣＦ信号をファクシミリ装置２に返信する処理を繰り返す。以降、ファクシミリ装置２がファクス送信の対象とする全頁のデータを複合機１に送信完了するまで、♯１２及び♯１３と同様の処理が繰り返される。
【００５９】
そして、ファクシミリ装置２が、ファクス送信の対象とする最終頁のデータ（ＰＩＸ）を複合機１に送信したときは（♯１５）、データ送信を終了することを示すＥＯＰ信号を複合機１に送信する（♯１６）。複合機１は、上記最終頁のデータを受信したことを示すＭＣＦ信号をファクシミリ装置２に返信する（♯１７）。
【００６０】
ファクシミリ装置２は、ＥＯＰ信号を送信した後に、複合機１から上記ＭＣＦ信号を受信すると、複合機１にＤＣＮ信号を送信して（♯１８）、回線を遮断する。
【００６１】
次に、複合機１によるファクス転送処理の第１実施形態を説明する。図８は、複合機１によるファクス転送処理の第１実施形態を示すフローチャートである。
【００６２】
複合機１が例えばファクシミリ通信部１４０を介して、他のファクシミリ装置からファクシミリデータを受信すると（Ｓ１でＹＥＳ）、ジョブ管理部１０２は、当該ファクシミリデータに基づく画像形成の実行等をファクスジョブとして、ジョブ管理の対象とする（Ｓ２）。ジョブ管理部１０２は、既に受け付けている他のジョブ、例えば、プリントジョブ等がある場合には、当該ファクスジョブを、当該他のジョブに続く順番待ちの状態とする。ジョブ管理部１０２は、当該ファクスジョブの実行の順番が到来するまでは実行せずに待機状態としておき、順番が到来すると、当該ファクスジョブを実行する。
【００６３】
上記ジョブ実行順の到来時に、判断部１０４が画像形成部１３０により当該ファクシミリデータの画像形成が可能であると判断した場合には（Ｓ３でＹＥＳ）、制御部１０１は、ジョブ実行順の到来時に、画像形成部１３０に当該ファクシミリデータに基づいた画像形成を行わせる（Ｓ９）。
【００６４】
一方、ジョブ実行順の到来時に、判断部１０４が画像形成部１３０により当該ファクシミリデータの画像形成が不可能であると判断した場合（Ｓ３でＮＯ）、例えば、上記ジョブ実行順の到来時に、画像形成部１３０におけるトナー切れや用紙切れの原因等により、当該ファクシミリデータを即座に印刷できない状態となっている場合には、転送フラグ判定部１０５は、当該ファクシミリデータと共に受信したファクシミリ制御信号、例えばＮＳＳ信号に、上述した転送フラグが含まれているか否かを判定する（Ｓ４）。
【００６５】
ここで、転送フラグ判定部１０５が、当該ＮＳＳ信号に転送フラグが含まれていないと判定した場合（Ｓ４でＮＯ）、ジョブ管理部１０２は、受信したファクシミリデータについてのファクスジョブを待ち状態とする（Ｓ１０）。この後、処理はＳ３に戻る。この場合、当該ファクスジョブの実行順が到来し、かつ、判断部１０４が上記原因を解消して画像形成可能と判断したときに（Ｓ３でＹＥＳ）、制御部１０１は、当該ファクシミリデータに基づいた画像形成を画像形成部１３０に行わせる（Ｓ９）。
【００６６】
また、転送フラグ判定部１０５が、当該ＮＳＳ信号に転送フラグが含まれていると判定した場合（Ｓ４でＹＥＳ）、データ転送制御部１０６は、通信相手先記憶部１７０から、ファクシミリデータの画像形成不可能時に転送する転送先として記憶されている例えばファクス番号を読み出す（Ｓ５）。データ転送制御部１０６は、当ファクス番号の示す転送先に、上記受信したファクシミリデータを転送する（Ｓ６）。なお、通信相手先記憶部１７０に記憶されている当該転送先は、コンピューターやプリンター等でもよく、これらの場合、IPアドレス等により転送先が示される。
【００６７】
続いて、データ転送制御部１０６は、当該ファクシミリデータを上記転送先に転送した旨の連絡を、予め定められた連絡先に送信する（Ｓ７）。データ転送制御部１０６は、通信相手先記憶部１７０から、当該連絡先として記憶されている例えば電子メールアドレスを読み出し、当該電子メールアドレスの示す連絡先に電子メールを送信して、上記転送を行った旨を通知する。
【００６８】
上記ファクシミリデータの転送及び連絡先への通知後、ジョブ管理部１０２は、当該ファクスジョブを削除（キャンセル）する（Ｓ８）。Ｓ８の後、処理は終了する。なお、Ｓ８のジョブ削除は、必ずしも行わなくてよく、ジョブ管理部１０２は当該ジョブの管理を続け、操作部４７の操作でユーザーからジョブ実行指示を受け付けた場合には、画像形成部１３０に当該ジョブに基づく画像形成を行わせ、当該複合機１においても、上記ファクシミリデータの印刷がされるようにしてもよい。
【００６９】
このように、本実施形態では、複合機１において画像形成部１３０によっては、受信したファクシミリデータの画像形成が不可能な状態であるときには、当該ファクシミリデータと共に受信したファクシミリ制御信号、例えばＮＳＳ信号に転送フラグが含まれることを条件に、予め定められた転送先にファクシミリデータを転送する。このため、受信した各ファクシミリデータに応じて、すなわち、ファクシミリデータが転送フラグを有するか否か、例えば、緊急性を示す情報を転送フラグとして有するか否かに応じて、他のファクシミリ装置に転送するかしないかを振り分け可能となる。
【００７０】
これにより、例えば、さほど重要ではなく即時に印刷を要しないファクシミリデータについては、上記例で言えばＮＳＳ信号に転送フラグが含まれないようにする設定とすることで、当該ファクシミリデータをファクシミリ装置２から受信した複合機１は、上記他のファクシミリ装置への転送を行わず、印刷に緊急性を要するファクシミリデータのみ上記他のファクシミリ装置への転送を行うことが可能になる。このため、ユーザーは、印刷に緊急性を要しないファクシミリデータの印刷物については、ファクシミリデータを受信した本来のファクシミリ装置である複合機１において、当該ファクシミリデータの印刷物を受け取って、転送先のファクシミリ装置まで印刷物を取りに行く無駄をなくすことができる。また、緊急性を要する重要なファクシミリデータの印刷物のみ、他のファクシミリ装置に転送して、即座に印刷物を得ることが可能になる。従って、ユーザーがファクシミリデータの印刷物を得る際の利便性が従来よりも向上する。
【００７１】
なお、上述した実施形態は、送信元のファクシミリ装置２が、予め定められたファクシミリ制御信号、例えばＮＳＳ信号に上記転送フラグを付加できる機能を有する場合に実行可能である。このため、例えば、送信元のファクシミリ装置が当該機能を有しない場合は、Ｓ４においてＮＯとなり、受信したファクシミリデータについての画像形成は待機される（Ｓ１０）。
【００７２】
次に、複合機１によるファクス転送処理の第２実施形態を説明する。図９は、複合機１によるファクス転送処理の第２実施形態を示すフローチャートである。なお、第１実施形態と同様の処理は説明を省略する。なお、この第２実施形態では、通信相手先記憶部１７０に記憶されている内容として、図３に示した例を用いる。
【００７３】
第２実施形態では、複合機１では受信したファクシミリデータの画像形成が不可能であり（Ｓ２３でＮＯ）、当該ファクシミリデータと共に受信したＮＳＳ信号に転送フラグが含まれる場合（Ｓ２４でＹＥＳ）、更に、データ転送制御部１０６は、当該ファクシミリデータと共に受信したファクシミリ制御信号であるＴＳＩ信号に基づいて、当該ファクシミリデータの送信元（ファクス番号）を判定する（Ｓ２５）。
【００７４】
この送信元の判定後、更に、データ転送制御部１０６は、当該判定した送信元を示すファクス番号が通信相手先記憶部１７０に記憶されているか否かを判断する（Ｓ２６）。データ転送制御部１０６は、当該送信元を示すファクス番号が通信相手先記憶部１７０に記憶されていると判断した場合（Ｓ２６でＹＥＳ）、当該送信元についての転送先（ファクス番号）として通信相手先記憶部１７０に記憶されている転送先を読み出し（Ｓ２７）、当該転送先へのファクシミリデータの転送を実行する（Ｓ２８）。
【００７５】
なお、Ｓ２７においては、データ転送制御部１０６は、当該送信元毎について設定されている転送先を上記ファクシミリデータの転送先とはせずに、当該判定した送信元を示すファクス番号が上記通信相手先記憶部１７０に記憶されていれば、予め定められた全て同一の転送先に、上記ファクシミリデータの転送を行うようにしてもよい。
【００７６】
この後、Ｓ２９において当該ファクシミリデータの転送を実行した旨の通知が行われると、上記判定された送信元について通信相手先記憶部１７０に記憶されている転送後処理の内容に基づいて、ジョブ管理部１０２が処理を行う（Ｓ３０）。例えば、上記判定された送信元について通信相手先記憶部１７０に記憶されている転送後処理の内容が「削除」である場合、ジョブ管理部１０２は、当該ファクシミリデータの画像形成についてのジョブを削除する。画像メモリー１２０に記憶されている当該ファクシミリデータも消去される。また、通信相手先記憶部１７０に記憶されている転送後処理の内容が「保存」である場合、ジョブ管理部１０２は、当該ジョブを順番待ちに追加、又は当該ファクシミリデータを後に画像形成が可能となるように画像メモリー１２０に記憶させる。
【００７７】
一方、データ転送制御部１０６は、当該送信元を示すファクス番号が上記通信相手先記憶部１７０に記憶されていないと判断した場合は（Ｓ２６でＮＯ）、ユーザーにより、送信元不明時に転送する転送先としての例えば電子メールアドレスが通信相手先記憶部１７０に設定されて記憶されている否かを判断する（Ｓ３２）。ここで、データ転送制御部１０６が、送信元不明時に転送する転送先が記憶されていると判断した場合は（Ｓ３２でＹＥＳ）、当該送信元不明時の転送先に当該ファクシミリデータを転送する（Ｓ２８）。
【００７８】
なお、この場合、続くＳ２９においては、当該送信元不明時に転送を行った場合に連絡する先としてユーザーにより通信相手先記憶部１７０に設定されて記憶されている連絡先に、データ転送制御部１０６が、上記ファクシミリデータの転送を行った旨を通知する（Ｓ２９）。
【００７９】
また、データ転送制御部１０６は、送信元不明時に転送する転送先が通信相手先記憶部１７０に記憶されていないと判断した場合は（Ｓ３２でＮＯ）、受信したファクシミリデータについての画像形成は待機される（Ｓ３３）。この後、処理はＳ２３に戻る。
【００８０】
なお、上記では、Ｓ２６において、ファクシミリデータの送信元が通信相手先記憶部１７０に記憶されていない場合は、送信元不明時の転送先が通信相手先記憶部１７０に記憶されていることを条件に、当該送信元不明時の転送先にファクシミリデータを転送するようにしているが（Ｓ３２でＹＥＳ，Ｓ２８）、この処理を行わず、Ｓ２６において、ファクシミリデータの送信元が通信相手先記憶部１７０に記憶されていないと判断されたことをもって、当該ファクシミリデータについての画像形成が待機状態になるようにしてもよい（Ｓ３３）。
【００８１】
この第２実施形態によれば、ファクシミリデータの送信元が通信相手先記憶部１７０に記憶されており、身元が判明していることを条件に、上記ファクシミリデータが他のファクシミリ装置に転送されるので、重要性が高いと想定されるファクシミリデータを、複合機１のユーザーが身元を把握している他のファクシミリ装置に転送することが可能になる。これにより、当該ファクシミリデータ転送時のデータ保全の安全性が高まる。
【００８２】
また、ファクシミリデータの送信元が通信相手先記憶部１７０に記憶されていない場合であっても、送信元不明時の転送先が通信相手先記憶部１７０に記憶されていれば、当該送信元不明時の転送先にファクシミリデータの転送を行うため、ファクシミリデータの送信元の身元が不明であっても、ユーザーが上記転送を許可する場合には、他のファクシミリ装置への上記ファクシミリデータの転送を行わせることができる。
【００８３】
次に、上記転送フラグの付加処理を説明する。図１０は送信元のファクシミリ装置２における転送フラグ付加処理を示すフローチャートである。上記複合機１がファクシミリデータの送信元（ファクシミリ装置２）となる場合を例にして説明する。
【００８４】
ファクシミリ装置２において、ユーザーがファクス送信指示を操作部４７に入力したとき（Ｓ４１でＹＥＳ）、制御部１０１は、表示部１５０に、図１１に例を示すような転送フラグ設定画面Ｄ２を表示させる（Ｓ４２）。
【００８５】
この転送フラグ設定画面Ｄ２の表示時に、画面内に含まれる転送フラグ設定ボタンＢ２をユーザーが押下すると、表示部１５０に備えられるタッチパネル機能により、転送フラグを付加する指示が入力され、フラグ受付部１０９が、ファクシミリ制御信号である例えばＮＳＳ信号に転送フラグを付加する付加指示を受け付ける（Ｓ４３でＹＥＳ）。
【００８６】
上記付加指示がフラグ受付部１０９に受け付けられると、フラグ付加部１１０が、上記予め定められたファクシミリ制御信号に、転送フラグを付加する（Ｓ４４）。例えば上記ＮＳＳ信号は、ファクシミリ装置の機能を通知する信号であるため、上記転送フラグとしての信号又は情報を含ませることが可能である。
【００８７】
例えば、ユーザーは、送信対象とするファクシミリデータが重要性又は緊急性が高いと考えた場合に上記転送フラグを付加することにより、重要性又は緊急性の高いファクシミリデータが送信相手先のファクシミリ装置で印刷不可能な場合に、当該ファクシミリデータを更に他のファクシミリ装置に転送させて、受信者が当該ファクシミリデータの印刷物を得られやすいようにできる。
【００８８】
この転送フラグの付加処理後、ファクシミリ通信部１４０は、上記転送フラグが付加されたファクシミリ制御信号を用いて、送信対象とされるファクシミリデータを、送信相手先とされるファクシミリ装置に送信する（Ｓ４５）。
【００８９】
上記Ｓ４３において、フラグ受付部１０９が転送フラグを付加する付加指示を受け付けなかった場合は（Ｓ４３でＮＯ）、ファクシミリ制御信号に転送フラグが付加されることなく、ファクシミリ通信部１４０により、送信対象とされるファクシミリデータが送信相手先とされるファクシミリ装置に送信される（Ｓ４５）。
【００９０】
なお、上記各実施形態では、予め定められたファクシミリ制御信号をＮＳＳ信号とする例を示しているが、例えばＮＳＦ信号等の他の信号を用いても構わない。
【００９１】
また、本発明は上記実施の形態の構成に限られず種々の変形が可能である。例えば、上記第１実施形態におけるＳ４、及び第２実施形態におけるＳ２４においては、受信したファクシミリ制御信号（ＮＳＳ信号等）に転送フラグが含まれているか否かに応じて、受信したファクシミリデータを転送するか否かを判断しているが、当該転送を行うか否かの判断基準はこれに限定されるものではない。この判断基準に代えて、例えば、転送フラグ判定部１０５が、受信したファクシミリデータに、予め定められた文字等のキャラクター、又は予め定められた画像が含まれているか否かを判定し、当該キャラクター又は画像が含まれている場合に、ファクシミリデータと共に転送フラグが受信されているものと判定し、データ転送制御部１０６が、当該ファクシミリデータについての上記転送を行うようにしてもよい。
【００９２】
図１２は、転送フラグ有無判定処理の他の実施形態を示すフローチャートである。判断部１０４が、画像形成部１３０による当該ファクシミリデータの画像形成が不可能であると判断した場合（Ｓ３でＮＯ）、転送フラグ判定部１０５は、上記受信されたファクシミリデータに、予め定められた文字である例えば「緊急」「至急」又は「重要」のいずれかを示すキャラクター又は画像が含まれるか否かを判定する（Ｓ５１，Ｓ５２，Ｓ５３）。図１３に、当該「至急」画像ｉｍ１を有するファクシミリデータの１頁が印刷された例を示す。
【００９３】
ここで、転送フラグ判定部１０５が、上記ファクシミリデータの示す画像中に、上記「緊急」「至急」又は「重要」のいずれかを示すキャラクター又は画像が含まれると判定した場合は（Ｓ５１〜Ｓ５３のいずれかでＹＥＳ）、当該ファクシミリデータと共に転送フラグが受信されているものと判定する（Ｓ５５）。
【００９４】
なお、当該キャラクターが含まれるか否かの判定は、転送フラグ判定部１０５が、ファクシミリデータの示す画像に対してＯＣＲ処理を行ってキャラクターを抽出した後、この抽出したキャラクター中に、「緊急」「至急」又は「重要」のいずれかを示すキャラクターが存在するか否かを判定することによって行われる。
【００９５】
或いは、ファクシミリデータの示す画像中に上記予め定められた画像が含まれるか否かの判定は、転送フラグ判定部１０５が、ファクシミリデータの示す画像にパターンマッチング処理を行い、「緊急」「至急」又は「重要」のいずれかを示す画像、又は星印等の予め定められた図形画像が存在するか否かを判定することによって行われる。
【００９６】
一方、転送フラグ判定部１０５が、上記ファクシミリデータの示す画像中に、上記「緊急」「至急」又は「重要」のいずれのキャラクター又は画像も含まれないと判定した場合は（Ｓ５１〜Ｓ５３の全てでＮＯ）、当該ファクシミリデータと共に転送フラグが受信されていないものと判定する（Ｓ５４）。
【００９７】
また、図１乃至図１３を用いて上記各実施形態に示した構成及び処理は、本発明の一実施形態に過ぎず、本発明の構成及び処理はこれに限定されるものではない。
【符号の説明】
【００９８】
１          複合機
１００      制御ユニット
１０１      制御部
１０２      ジョブ管理部
１０４      判断部
１０５      転送フラグ判定部
１０６      データ転送制御部
１０７      送信元判別部
１０８      転送先受付部
１０９      フラグ受付部
１１０      フラグ付加部
１２０      画像メモリー
１３０      画像形成部
１４０      ファクシミリ通信部
１５０      表示部
１６０      通信インターフェイス
４７        操作部
２          ファクシミリ装置
１１，１２  複合機
１３，１４  ファクシミリ装置
【図１】
2015109504.tif 000003
【図２】
2015109504.tif 000004
【図３】
2015109504.tif 000005
【図４】
2015109504.tif 000006
【図５】
2015109504.tif 000007
【図６】
2015109504.tif 000008
【図７】
2015109504.tif 000009
【図８】
2015109504.tif 000010
【図９】
2015109504.tif 000011
【図１０】
2015109504.tif 000012
【図１１】
2015109504.tif 000013
【図１２】
2015109504.tif 000014
【図１３】
2015109504.tif 000015